(57)【特許請求の範囲】
【請求項１】
第一透明導電基板であり、
底部には複数の第一透明導電電極を備え、それらの電極は第一方向においては第一電圧差を有し、色空間の明度差異値ΔＬと黄青差異値Δｂと赤緑差異値Δａとユークリッド距離差異値ΔＥの関係式
【数１】
0005562887.tif 000004
に基づいて、前記第一透明導電基板のユークリッド距離差異値を算出し、前記第一透明導電基板は、光学的条件を満たし、
前記光学的条件とは、
光線が前記第一透明導電基板を通過するとき、前記第一透明導電電極を通過するか否かに関わらず前記ユークリッド距離差異値が５より小さい値或いは５に等しい値であること、
前記光線が前記第一透明導電基板に入射するとき前記第一透明導電電極への入射の有無に関わらず前記黄青差異値Δｂ*が１.５より小さい値或いは１.５に等しい値であること、
前記光線が前記第一透明導電基板において反射するとき前記第一透明導電電極での反射の有無に関わらず前記ユークリッド距離差異値が１０より小さい値或いは１０に等しい値であることである、第一透明導電基板と、
第二透明導電基板であり、
それは前記第一透明導電基板とは間隔をあけて設置され、
前記第二透明導電基板の頂部は複数の第二透明導電電極を備え、これらの前記第二透明導電電極は第二方向において第二電圧差を有し、且つ第一、第二方向は相互に垂直である第二透明導電基板と、
前記第一透明導電基板と前記第二透明導電基板の間に設けられ、前記第一、第二透明導電電極を隔離するセパレータ層と、を含むことを特徴とする、視覚的色差の無い抵抗膜式タッチコントロール装置。
【請求項２】
前記第一透明導電基板が前記光学的条件とサイズ条件との両者を満たし、前記サイズ条件は、前記第一透明導電電極が隣り合う距離は５０〜１０００ミクロンであることを含んでいる、請求項１に記載の視覚的色差の無い抵抗膜式タッチコントロール装置。
【請求項３】
前記第一透明導電基板は、底部に前記第一透明導電電極を設けた透明基板を更に含むことを特徴とする、請求項１に記載の視覚的色差の無い抵抗膜式タッチコントロール装置。
【請求項４】
前記第一透明導電基板は、前記透明基板の頂部に設けられたハードコート層（ｈａｒｄ  ｃｏａｔｉｎｇ  ｌａｙｅｒ）を更に含むことを特徴とする、請求項３に記載の視覚的色差の無い抵抗膜式タッチコントロール装置。
【請求項５】
前記第一透明導電基板は、前記透明基板と前記第一透明導電電極の間に設けられたアンチニュートンリング（ａｎｔｉ−Ｎｅｗｔｏｎ  Ｒｉｎｇ）層を更に含むことを特徴とする、請求項３に記載の視覚的色差の無い抵抗膜式タッチコントロール装置。
【請求項６】
前記透明基板の材質はポリエチレン・テレフタレート（ｐｏｌｙｅｔｈｙｌｅｎｅ  Ｔｅｒｅｐｈｔｈａｌａｔｅ，ＰＥＴ）、ゼオノア（Ｚｅｏｎｏｒ）、ポリアリテート（ＰＡＲ）、ポリカーボネート（ｐｏｌｙｃａｒｂｏｎａｔｅ，ＰＣ）、トリアリルシアヌレート（ＴＡＣ）、ポリメタクリル酸メチル（ｐｏｌｙｍｅｔｈｙｌ  ｍｅｔｈａｃｒｙｌａｔｅ；ＰＭＭＡ）、ポリエチレンナフタレート（ＰＥＮ）、アートン（Ａｒｔｏｎ）等の高分子透明基材であることを特徴とする、請求項３に記載の視覚的色差の無い抵抗膜式タッチコントロール装置。
【請求項７】
前記第一透明導電電極は、酸化インジウムスズ（ＩＴＯ）、半金属材料、高分子等の透明導電材料であることを特徴とする、請求項１に記載の視覚的色差の無い抵抗膜式タッチコントロール装置。
【請求項８】
前記第二透明導電電極は、酸化インジウムスズ（ＩＴＯ）、半金属材料、高分子等の透明導電材料であることを特徴とする、請求項１に記載の視覚的色差の無い抵抗膜式タッチコントロール装置。
【請求項９】
前記第一透明導電電極は相互に平行であり、前記第二透明導電電極もまた相互に平行であり、且つ前記第一、第二透明導電電極は相互に垂直であることを特徴とする、請求項１に記載の視覚的色差の無い抵抗膜式タッチコントロール装置。
【請求項１０】
前記各第一、第二透明導電電極の頂面、底面は長方形であることを特徴とする、請求項１に記載の視覚的色差の無い抵抗膜式タッチコントロール装置。
【請求項１１】
前記各第一、第二透明導電電極の頂面、底面は全て１つの主長方形部及び２つの副長方形部を備えており、且つ前記主長方形部の２つの短辺はそれぞれ各前記副長方形部の長辺の位置に接していることを特徴とする、請求項１に記載の視覚的色差の無い抵抗膜式タッチコントロール装置。
【請求項１２】
各前記第一、第二透明導電電極の頂面、底面は全て１つの主長方形部及び２つの副長方形部を備えており、且つ前記主長方形部の２つの短辺の中間位置はそれぞれ各前記副長方形部の長辺に接していることを特徴とする、請求項１に記載の視覚的色差の無い抵抗膜式タッチコントロール装置。
【請求項１３】
各前記第一、第二透明導電電極の頂面、底面は全て複数の菱形部及び複数の細長部を具えており、各前記細長部の両端はそれぞれ前記菱形部の角端部に接しており、前記菱形部に直列に接しており、且つ前記菱形部は水平に等間隔で排列されており、隣り合う２つの第一透明導電電極中の隣り合う２つの前記細長部の間には１つの前記菱形部を備え、隣り合う２つの第二透明電極中の隣り合う２つの前記細長部の間には１つの前記菱形部を備えることを特徴とする、請求項１に記載の視覚的色差の無い抵抗膜式タッチコントロール装置。
【請求項１４】
各前記第一、第二透明導電電極の頂面、底面は全て１つの主長方形部及び複数の第一、第二長方形部を備え、前記主長方形部の２つの長辺はそれぞれ等間隔で前記第一、第二長方形部の長辺に接しており、隣り合う２つの前記第一透明導電電極中では、隣り合う前記第一、第二長方形部が交錯して排列されており、また隣り合う２つの前記第二透明導電電極中では、隣り合う前記第一、第二長方形部が交錯して排列されていることを特徴とする、請求項１に記載の視覚的色差の無い抵抗膜式タッチコントロール装置。
【請求項１５】
前記第一透明導電基板の辺縁凸部分には取付部を設けることを特徴とする、請求項１に記載の視覚的色差の無い抵抗膜式タッチコントロール装置。
【請求項１６】
前記第一透明導電基板の辺縁凸部分には取付部を設け、且つ前記取付部とその両側の前記辺縁の接続部分には切り欠きを設けることを特徴とする、請求項１に記載の視覚的色差の無い抵抗膜式タッチコントロール装置。
【請求項１７】
前記光線が前記第一透明導電基板を通過するとき、前記第一透明導電電極を通過するか否かに関わらず前記ユークリッド距離差異値は２より小さい値或いは２に等しい値であり、前記光線が前記第一透明導電基板に入射するとき前記第一透明導電電極への入射の有無に関わらず前記黄青差異値Δｂ*は１.２より小さい値或いは１.２に等しい値であり、前記光線が前記第一透明導電基板において反射するとき前記第一透明導電電極反射の有無に関わらず前記ユークリッド距離差異値が７より小さい値或いは７に等しい値であることを特徴とする、請求項１に記載の視覚的色差の無い抵抗膜式タッチコントロール装置。
【請求項１８】
前記第一透明導電電極の隣り合う距離は５０〜４００ミクロンであることを特徴とする、請求項１に記載の視覚的色差の無い抵抗膜式タッチコントロール装置。
【請求項１９】
各前記第一透明導電電極は２つの長辺と２つの短辺を備え、前記短辺は８〜３０ミリメートルであり、各前記第一透明導電電極の厚さは５０〜７００オングストローム（ａｎｇｓｔｒｏｍ）であることを特徴とする、請求項１に記載の視覚的色差の無い抵抗膜式タッチコントロール装置。
【請求項２０】
前記短辺は１０〜１５ミリメートルであり、各前記第一透明導電電極の厚さは１００〜４００オングストロームであることを特徴とする、請求項１９に記載の視覚的色差の無い抵抗膜式タッチコントロール装置。
【請求項２１】
各前記第一透明導電電極は２つの長辺と２つの短辺を備え、前記２つの短辺に電圧を印加するとき、前記第一透明導電電極の抵抗値は４万オームより小さい或いは４万オームに等しいことを特徴とする、請求項１に記載の視覚的色差の無い抵抗膜式タッチコントロール装置。
【請求項２２】
前記記抵抗値の最適な値は０.１〜２.５万オームであることを特徴とする、請求項２１に記載の視覚的色差の無い抵抗膜式タッチコントロール装置。
【請求項２３】
各前記第一透明導電電極は最大抵抗値Ｒmax、最小値Ｒmin、平均抵抗値Ｒavを有し、（Ｒmax−Ｒmin）／Ｒavは５０％より小さい或いは５０％に等しいことを特徴とする、請求項１に記載の視覚的色差の無い抵抗膜式タッチコントロール装置。
【請求項２４】
前記（Ｒmax−Ｒmin）／Ｒavは２５％より小さい或いは２５％に等しいことを特徴とする、請求項２３に記載の視覚的色差の無い抵抗膜式タッチコントロール装置。
【請求項２５】
各前記第二透明導電電極は２つの長辺と２つの短辺を備え、前記２つの短辺に電圧を印加するとき、前記第二透明導電電極の抵抗値は４万オームより小さい或いは４万オームに等しいことを特徴とする、請求項１に記載の視覚的色差の無い抵抗膜式タッチコントロール装置。
【請求項２６】
前記記抵抗値の最適な値は０.１〜２.５万であることを特徴とする、請求項２５に記載の視覚的色差の無い抵抗膜式タッチコントロール装置。
【請求項２７】
前記第一、第二透明導電電極に接続するとともに、前記第一、第二透明導電電極の短絡電圧を処理して前記第一、第二方向のアナログ信号を生成するプログラマブルロジックデバイスと、
前記プログラマブルロジックデバイスに接続するとともに、前アナログ信号を受信して前記第一、第二方向のデジタル信号に変換するアナログ・デジタル・コンバータと、
前記アナログ・デジタル・コンバータに接続するとともに、前記デジタル信号を受信して前記デジタル信号に基づき対応する座標値を生成するマイクロプロセッサと、
を更に含むことを特徴とする、請求項１に記載の視覚的色差の無い抵抗膜式タッチコントロール装置。
【発明の詳細な説明】
【技術分野】
【０００１】
本発明はタッチコントロール装置に関するものであって、特に視覚的色差の無い抵抗膜式タッチコントロール装置に関するものである。
【背景技術】
【０００２】
科学技術の進歩に伴い、携帯情報端末（ＰＤＡ）、携帯電話、フラットパネルノート型パソコン等はタッチコントロール式パネルの電子装置を備え益々普及している。市場のタッチコントロール式パネルはその設計原理を大きく数種類に分けることができ、中でも代表的なのは抵抗膜式タッチパネルである。
【０００３】
抵抗膜式タッチパネルは、手指或いは任意の物体でパネル表面を押して触れることで、タッチパネル内部上下の導電層を接触させ、電圧変化を起こし、タッチパネル表面の触れられた位置を検出するという原理を利用している。
図１では、タッチパネルは、第一基板１０、スペーサ層１２、第二基板１４を含み、第一基板１０と第二基板１４はそれぞれＸ、Ｙ方向の位置における入力点を検出するのに用いられ、複数の第一電極１６、第二電極１８はそれぞれ第一基板１０上、第二基板１４上に形成されるともに、第一基板１０と第二基板１４の間に位置する。またスペーサ層１２は細かく小さい点が分布しており、第一電極１６と第二電極１８の間に位置する。第一基板１０と第二基板１４が接触するとき、第一電極１６と第二電極１８の短絡電圧に基づき入力点のＸ及びＹの位置を知ることができる。
しかし、この種のタッチパネルは、第一基板１０と第二基板１４においてエッチングパターン化或いは塗布によって棒状電極を形成する必要があり、これらの電極の形状はディスプレイ画面に影響を与えるだけでなく、ユーザーの視覚器官に大きな負担をもたらす。
本発明は上述の欠点に対して、視覚的色差の無い抵抗膜式タッチコントロール装置を提案し、従来技術が有する問題の解決を図る。
【発明の概要】
【発明が解決しようとする課題】
【０００４】
本発明の主な目的は、視覚的色差の無い抵抗膜式タッチコントロール装置を提供することにあり、色空間の明度差異値と黄青差異値と赤緑差異値とユークリッド距離差異値ΔＥの関係式に基づいて、透明導電基板のユークリッド距離差異値及び黄青差異値を限定し、或いは導電電極の隣り合うサイズを限定し、視覚的色差の無いタッチコントロール画面を映し出し、高品質ディスプレイ効果を達成する。
【課題を解決するための手段】
【０００５】
上述の目的を達成するために、本発明が提供する視覚的色差の無い抵抗膜式タッチコントロール装置は、第一透明導電基板を含み、その底部には複数の第一透明導電電極を備え、電極は第一方向において第一電圧差を有し、第一透明導電基板と第二透明導電基板は間隔をあけて設置し、且つ第二透明導電基板の頂部には複数の第二透明導電電極を備え、第二透明導電電極は第二方向において第二電圧差を有し、また第一、第二方向は相互に垂直であり、２つの基板の間にはセパレータ層を備えて第一、第二透明導電電極を隔離する。色空間の明度差異値ΔＬと黄青差異値Δｂ*と赤緑差異値Δａ*とユークリッド距離差異値ΔＥの関係式
【０００６】
【数１】
0005562887.tif 000002
に基づいて、第一透明導電基板のユークリッド距離差異値を算出する。第一透明導電基板は光学条件、サイズ条件、或いはそれら両者を満たし、光学的条件とは、光線が第一透明導電基板を通過するとき、第一透明導電電極を通過するか否かに関わらずユークリッド距離差異値が５より小さい値であること、光線が第一透明導電基板に入射するとき第一透明導電電極への入射の有無に関わらず黄青差異値Δｂ*が１.５より小さい値であること、光線が第一透明導電基板において反射するとき第一透明導電電極での反射の有無に関わらずユークリッド距離差異値が１０より小さい値であることである。サイズ条件とは第一透明導電電極が隣り合う距離は５０〜１０００ミクロンとなることである。
【発明の効果】
【０００７】
本発明は第一透明導電電極に対して光学的条件或いはサイズ条件上の制限を行うことで、視覚的色差の無い高品質ディスプレイ効果を達成できる。
【図面の簡単な説明】
【０００８】
【図１】従来技術の装置構造を示す図。
【図２】本発明のタッチパネル構造分解図。
【図３】本発明の底部から見た第一透明導電基板の立体図。
【図４】本発明の頂部から見た第二透明導電基板の立体図。
【図５ａ】本発明の第一、第二透明導電電極の形状を示す図。
【図５ｂ】本発明の第一、第二透明導電電極の形状を示す図。
【図５ｃ】本発明の第一、第二透明導電電極の形状を示す図。
【図５ｄ】本発明の第一、第二透明導電電極の形状を示す図。
【図６】本発明の第一透明導電基板と第二透明導電基板が電位線を発生させることを示す図。
【図７】本発明の回路ブロック図。
【発明を実施するための形態】
【０００９】
本発明の構造の特徴及び達成される効果の更なる理解と認識のために、以下に好ましい実施例と図面を合わせて詳しく説明する。
【実施例】
【００１０】
図２と図３を参照されたい。本発明のタッチパネル１９は第一透明導電基板２０を含み、そこに含まれる透明基板２２の材質はポリエチレン・テレフタレート（ｐｏｌｙｅｔｈｙｌｅｎｅ  Ｔｅｒｅｐｈｔｈａｌａｔｅ，ＰＥＴ）、ゼオノア（Ｚｅｏｎｏｒ）、ポリアリテート（ＰＡＲ）、ポリカーボネート（ｐｏｌｙｃａｒｂｏｎａｔｅ，ＰＣ）、トリアリルシアヌレート（ＴＡＣ）、ポリメタクリル酸メチル（ｐｏｌｙｍｅｔｈｙｌ  ｍｅｔｈａｃｒｙｌａｔｅ；ＰＭＭＡ）、ポリエチレンナフタレート（ＰＥＮ）、アートン（Ａｒｔｏｎ）等の高分子であり、透明基板２２の底部と頂部にはそれぞれアンチニュートンリング（ａｎｔｉ−Ｎｅｗｔｏｎ  Ｒｉｎｇ）層２４とハードコート層（ｈａｒｄ  ｃｏａｔｉｎｇ  ｌａｙｅｒ）２６を設け、アンチニュートンリング層２４は光線が回折する状況が発生するのを防止するのに用いられ、且つハードコート層２６は保護作用を提供するのに用いられる。
アンチニュートンリング層２４の底部には複数の相互に平行する第一透明導電電極２８を更に設け、その材質は酸化インジウムスズ（ＩＴＯ）、半金属材料、高分子等の透明導電材料であり、第一透明導電電極２８は第一方向において第一電圧差を有する。構造上アンチニュートンリング層２４が無い場合は、第一透明導電電極を直接透明基板２２の底部に設ける。色空間の明度差異値ΔＬと黄青差異値Δｂ*と赤緑差異値Δａ*とユークリッド距離差異値ΔＥの関係式
【００１１】
【数２】
0005562887.tif 000003
に基づいて、第一透明導電基板２０のユークリッド距離差異値を算出する。ユーザーの視覚器官において、いかなる切れ目或いは間隔も見られない第一透明導電電極２８のディスプレイ効果のために、第一透明導電基板２０は光学条件、サイズ条件、或いはこの両者を満たす必要がある。その光学条件とは、光線が第一透明導電基板２０を通過するとき、第一透明導電電極２８を通過するか否かに関わらずユークリッド距離差異値が５より小さい値或いは５に等しい値であり最適なのは２より小さい値或いは２に等しい値であること、光線が第一透明導電基板２０に入射するとき第一透明導電電極２８への入射の有無に関わらず黄青差異値Δｂ*が１.５より小さい値或いは１.５に等しい値であり最適なのは１.２より小さい値或いは１.２に等しい値であること、光線が第一透明導電基板２０において反射するとき第一透明導電電極２８での反射の有無に関わらずユークリッド距離差異値が１０より小さい値であり最適なのは７より小さい値或いは７に等しい値であることである。サイズ条件は第一透明導電電極２８が隣り合う距離Ｄ１は５０〜１０００ミクロンであり、最適なのは５０〜４００ミクロンであることを含む。
【００１２】
第一透明導電基板２０と第二透明導電基板３０は間隔をあけて設置し、第二透明導電基板３０の頂部には複数の平行する第二透明導電電極３２を備え、その材質は酸化インジウムスズ（ＩＴＯ）、半金属材料、高分子等の透明導電材料であり、第二透明導電電極３２は第二方向において第二電圧差を有し、且つ第一、第二方向は相互に垂直であり、第一透明導電電極２８と第二透明導電電極３２もまた相互に垂直である。第一透明導電基板２０と第二透明導電基板３０の間にはセパレータ層３４を設け、第一透明導電基板２０と第二透明導電基板３０を隔離するのに用いる。
【００１３】
また、第一透明導電基板２０中において、ハードコート層２６と透明基板２２の形状は一致するため、透明基板２２とハードコート層２６の辺縁凸部分には取付部３８を設け、且つこの取付部３８とその両側辺縁が接続する場所に切り欠き４０を設け、取付部３８におけるフレキシブルフラットケーブル或いは回路チップを具えたフレキシブル回路基板４２の取付・取り外しを容易にする。
【００１４】
上述のサイズ条件の制限に合わせて、視覚的色差無しのディスプレイ効果を更に高めるために、以下のように第一透明導電電極２８のサイズを更に限定する。また、同時に第一透明導電電極２８と第二透明導電電極３２の電気抵抗限定の関係も紹介する。図３と図４を参照されたい。各第一透明導電電極２８は長方体であり、２つの長辺Ｌと２つの短辺Ｗを備え、短辺Ｗは８〜３０ミリメートルであり、最適なのは１０〜１５ミリメートルである。厚さＤ２は５０〜７００オングストローム（ａｎｇｓｔｒｏｍ）であり、最適なのは１００〜４００オングストロームである。抵抗設計上、各第一透明導電電極２８の２つの短辺に電圧が印加されるとき、第一透明導電電極２８の抵抗値は４万オームより小さい値或いは４万オームに等しい値であり、最適なのは０.１〜２.５万オームである。また、第一透明導電電極２８は最大抵抗値Ｒmax、最小値Ｒmin、平均抵抗値Ｒavを有し、（Ｒmax−Ｒmin）／Ｒavは５０％より小さい或いは５０％に等しい値であり、最適なのは２５％より小さい或いは２５％に等しい値である。第二透明導電電極３２もまた長方体であり、２つの長辺と２つの短辺を有し、２つの短辺に電圧が印加されるとき、第二透明導電電極３２の抵抗値は４万オームより小さい値或いは４万オームに等しい値であり、最適なのは０.１〜２.５万オームである。
【００１５】
第一透明導電電極２８と第二透明導電電極３２の頂面と底面は長方形の他に、その他の形状でもよい。図５ａでは、１つの主長方形部２８１及び２つの副長方形部２８２を備え、且つ主長方形部２８１の２つの短辺はそれぞれ各副長方形部の長辺の位置に接している。図５ｂでは、１つの主長方形部２８３及び２つの副長方形部２８４を備え、且つ主長方形部２８３の２つの短辺位置はそれぞれ各副長方形部２８４の長辺に接している。図５ｃでは、複数の菱形部２８５及び複数の細長部２８６を備え、各細長部２８６の両端部分は菱形部２８５の角端部分にそれぞれ接しており、全ての菱形部２８５は直列に接続しており、且つこれらの菱形部２８５は水平に等間隔で排列されている。隣り合う２つの第一透明導電電極中においては、隣り合う２つの細長部２８６の間に、菱形部２８５を備える。隣り合う２つの第二透明導電電極中においては、隣り合う２つの細長部２８６の間に、菱形部２８５を備える。最後に図５ｄでは、各第一、第二透明導電電極の頂面と底面は皆主長方形部２８７及び複数の第一長方形部２８８、第二長方形部２８９を備え、主長方形部２８７の２つの長辺は第一長方形部２８８と第二長方形部２８９の長辺にそれぞれ等間隔で接している。隣り合う２つの第一透明導電電極中において、隣り合う第一長方形部２８８と第二長方形部２８９は交錯排列されている。また、隣り合う２つの第二透明導電電極中において、隣り合う第一長方形部２８８と第二長方形部２８９は交錯排列されている。
【００１６】
続けて図６と図７を参照されたい。第一透明導電電極２８と第二透明導電電極３２に電圧が印加されるとき、第一透明導電電極２８は第一方向において第一電圧差を生じさせるので、この第一透明導電電極２８は第一方向において第一電位線４４を生じさせる。また、第二透明導電電極３２は第二方向において第二電圧差を生じさせるので、この第二透明導電電極３２は第二方向において第二電位線４６を生じさせる。タッチパネル１９の第一透明導電基板２０と第二透明導電基板３０が接触するとき、第一透明導電電極２８と第二透明導電電極３２によって、プログラマブルロジックデバイス４８、アナログ・デジタル・コンバータ５０、マイクロプロセッサ５２の順で接続するので、プログラマブルロジックデバイス４８は第一透明導電電極２８と第二透明導電電極３２の短絡電圧を処理して、第一方向と第二方向のアナログ信号を生成し、アナログ・デジタル・コンバータ５０中に出力し、第一方向と第二方向のデジタル信号にそれぞれ変換することができる。最後に、マイクロプロセッサ５２はこのデジタル信号を受信し、デジタル信号に基づいて対応する座標値を生成する。
【００１７】
上述は本発明の好ましい実施例に過ぎず、本発明の実施範囲を限定するものではない。本発明の精神から離れない範囲で加えた変更や潤色は全て、本発明の範囲内に属するものとする。
【符号の説明】
【００１８】
１０  第一基板
１２  スペーサ層
１４  第二基板 
１６  第一電極
１８  第二電極
１９  タッチパネル
２０  第一透明導電基板 
２２  透明基板
２４  アンチニュートンリング層 
２６  ハードコート層
２８  第一透明導電電極
３０  第二透明導電基板
３２  第二透明導電電極 
３４  スペーサ層
３８  取付部
４０  切り欠き 
４２  フレキシブル回路基板
４４  第一電位線 
４６  第二電位線
４８  プログラマブルロジックデバイス 
５０  アナログ・デジタル・コンバータ
５２  マイクロプロセッサ
２８１  主長方形部
２８２  副長方形部
２８３  主長方形部
２８４  副長方形部
２８５  菱形部
２８６  細長部
２８７  主長方形部
２８８  第一長方形部
２８９  第二長方形部
【図１】
0005562887.tif 000005
【図２】
0005562887.tif 000006
【図３】
0005562887.tif 000007
【図４】
0005562887.tif 000008
【図５ａ】
0005562887.tif 000009
【図５ｂ】
0005562887.tif 000010
【図５ｃ】
0005562887.tif 000011
【図５ｄ】
0005562887.tif 000012
【図６】
0005562887.tif 000013
【図７】
0005562887.tif 000014